(57)【要約】  本発明は、タッチスクリーン及び指紋認証を実現する装置、並びに端末機器を提供する。指紋認証センサーは複数のサブセンサーを含む。指紋認証センサーは、カバーガラスの下方に位置されるとともに、タッチスクリーンの下方の一部領域を占め、オールインワンスイッチがオンされると、各サブセンサーが検出して生成される信号をそれぞれ指紋認証回路に伝送し、オールインワンスイッチがオフされると、オールインワンスイッチを介して各サブセンサーが検出して生成される信号をタッチ信号に合併して前記タッチスクリーン回路に伝送するように構成される。指紋認証回路は、前記各サブセンサーが検出して生成される信号を処理するように構成される。タッチスクリーン回路は、合併して獲得されるタッチ信号によってタッチ操作が生成されるかを判断するように構成される。本発明は、共有する指紋認証センサーを使用して、指紋認証とタッチスクリーン機能を実現でき、電子機器の集積度を向上させ、同時に表示領域内の静電容量方式のタッチ、及び指紋認証の両立を実現でき、ユーザーの操作利便性を向上できる。【選択図】図２
2017505971.tif 000002
【特許請求の範囲】
【請求項１】
指紋認証センサー、指紋認証回路、オールインワンスイッチ、及びタッチスクリーン回路を備え、
前記指紋認証センサーは複数のサブセンサーを含み、各サブセンサーは、それぞれ前記指紋認証回路に接続され、前記各サブセンサーは、それぞれ前記オールインワンスイッチに接続され、前記オールインワンスイッチは、前記タッチスクリーン回路に接続され、
前記指紋認証センサーは、カバーガラスの下方に位置されるとともに、前記タッチスクリーンの下方の一部領域を占め、前記オールインワンスイッチがオンされると、前記各サブセンサーが検出して生成される信号をそれぞれ前記指紋認証回路に伝送し、前記オールインワンスイッチがオフされると、前記オールインワンスイッチを介して前記各サブセンサーが検出して生成される信号をタッチ信号に合併して前記タッチスクリーン回路に伝送するように構成され、
前記指紋認証回路は、前記各サブセンサーが検出して生成される信号を処理するように構成され、
前記タッチスクリーン回路は、合併して獲得されるタッチ信号によってタッチ操作が生成されるかを判断するように構成されることを特徴とするタッチスクリーン及び指紋認証を実現する装置。
【請求項２】
前記オールインワンスイッチは、端末機器のホストの命令によってオン・オフするように構成されることを特徴とする請求項１に記載のタッチスクリーン及び指紋認証を実現する装置。
【請求項３】
前記指紋認証センサーは、ナノ金属線又はカーボンナノチューブ材料により製造されることを特徴とする請求項１に記載のタッチスクリーン及び指紋認証を実現する装置。
【請求項４】
前記複数のサブセンサーは、ドットマトリクス状、又は長方形のマトリックス状に配列されることを特徴とする請求項１に記載のタッチスクリーン及び指紋認証を実現する装置。
【請求項５】
前記指紋認証回路は、
前記各サブセンサーが検出して生成される信号をデジタル信号に変換し、前記デジタル信号を端末機器のホストに伝送するように構成される信号処理サブモジュールを備えることを特徴とする請求項１に記載のタッチスクリーン及び指紋認証を実現する装置。
【請求項６】
前記指紋認証回路は、
前記各サブセンサーが検出して生成される信号によって指紋画像を生成し、前記指紋画像を端末機器のホストに伝送するように構成される画像生成サブモジュールを備えることを特徴とする請求項１に記載のタッチスクリーン及び指紋認証を実現する装置。
【請求項７】
前記指紋認証回路は、
前記各サブセンサーが検出して生成される信号によって指紋画像を生成し、生成される指紋画像をサンプル画像と比較し、比較結果を端末機器のホストに伝送するように構成される比較サブモジュールを備えることを特徴とする請求項１に記載のタッチスクリーン及び指紋認証を実現する装置。
【請求項８】
前記タッチスクリーン回路は、
合併して獲得されるタッチ信号によってタッチ操作が生成されるかを判断し、判断結果を端末機器のホストに伝送するように構成される判断サブモジュールを備えることを特徴とする請求項１に記載のタッチスクリーン及び指紋認証を実現する装置。
【請求項９】
請求項１乃至請求項８のうちいずれか１項に記載のタッチスクリーン及び指紋認証を実現する装置を備える端末機器。
【発明の詳細な説明】
【相互参照】
【０００１】
当該出願は、出願番号が２０１５１０３１２１４３.０であって、出願日が２０１５年６月０８日であり、及び出願番号が２０１５１００１７１０１.４であって、出願日が２０１５年１月１３日である中国特許出願を基礎として優先権を主張し、それらの中国特許出願の内容全体は、本願発明に援用される。
【技術分野】
【０００２】
本発明は、電子デバイス技術分野に関し、更に詳細には、タッチスクリーン及び指紋認証を実現する装置、並びに端末機器に関する。
【背景技術】
【０００３】
端末機器である携帯電話の機能が益々増えるにつれて、端末機器の益々多くなる新しい機能によって、ユーザーがより多くの便利を図ることができるようになる。
【０００４】
現在、指紋認証機能は、大きな端末機器メーカーの注目を浴び始めている。現在の端末機器、例えば、携帯電話、タブレットＰＣなどは指紋認証機能が設計される場合、断面図である図１に示すように、基本的に物理的ボタンと指紋認証機能を結合する方式を採用して、ボタンが指紋認証を兼ねる目的を達成する。通常、このような設計を採用する場合、物理的なボタン０２が押されるとき、所定のストロークでない場合必要な効果を奏することができなくなるため、カバーガラス０１の指紋認証領域に対応する部位に開口部を設ける必要がある。ユーザーが指紋認証センサー０３を軽くタッチすると、システムは指紋のみを認証することができ、また、ユーザーが指紋認証センサー０３を押すとともに、所定のストロークに到達すると、物理的なボタン０２がトリガされ、システムは指紋認証やボタンストロークの両方を認識することができ、そして、上のレベルの需要に応じて対応する動作を抽出する。しかしながら、前記構造である場合、端末機器の全体的な外観の美的感覚に影響を与えるだけではなく、ユーザーの操作の利便性にも影響を与える。
【発明の概要】
【発明が解決しようとする課題】
【０００５】
本発明は、関連技術に存在する問題を克服するために、端末機器の集積度を向上できるタッチスクリーン及び指紋認証を実現する装置、並びに端末機器を提供する。
【課題を解決するための手段】
【０００６】
本発明の第１の態様によれば、タッチスクリーン及び指紋認証を実現する装置が提供され、前記装置は、
指紋認証センサー、指紋認証回路、オールインワン（ａｌｌ−ｉｎ−ｏｎｅ）スイッチ、及びタッチスクリーン回路を備え、
前記指紋認証センサーは複数のサブセンサーを含み、各サブセンサーは、それぞれ前記指紋認証回路に接続され、前記各サブセンサーは、それぞれ前記オールインワンスイッチに接続され、前記オールインワンスイッチは、前記タッチスクリーン回路に接続され、
前記指紋認証センサーは、カバーガラスの下方に位置されるとともに、前記タッチスクリーンの下方の一部領域を占め、前記オールインワンスイッチがオン（ｏｎ）されると、前記各サブセンサーが検出して生成される信号をそれぞれ前記指紋認証回路に伝送し、前記オールインワンスイッチがオフ（ｏｆｆ）されると、前記オールインワンスイッチを介して前記各サブセンサーが検出して生成される信号をタッチ信号に合併して前記タッチスクリーン回路に伝送するように構成され、
前記指紋認証回路は、前記各サブセンサーが検出して生成される信号を処理するように構成され、
前記タッチスクリーン回路は、合併して獲得されるタッチ信号によってタッチ操作が生成されるかを判断するように構成される。
【０００７】
一実施例では、前記オールインワンスイッチは、端末機器のホストの命令によってオン・オフするように構成されてもよい。
【０００８】
一実施例では、前記指紋認証センサーは、ナノ金属線又はカーボンナノチューブ材料により製造されてもよい。
【０００９】
一実施例では、前記複数のサブセンサーは、ドットマトリクス状、又は長方形のマトリックス状に配列されてもよい。
【００１０】
一実施例では、前記指紋認証回路は、
前記各サブセンサーが検出して生成される信号をデジタル信号に変換し、前記デジタル信号を端末機器のホストに伝送するように構成される信号処理サブモジュールを備えてもよい。
【００１１】
一実施例では、前記指紋認証回路は、
前記各サブセンサーが検出して生成される信号によって指紋画像を生成し、前記指紋画像を端末機器のホストに伝送するように構成される画像生成サブモジュールを備えてもよい。
【００１２】
一実施例では、前記指紋認証回路は、
前記各サブセンサーが検出して生成される信号によって指紋画像を生成し、生成される指紋画像をサンプル画像と比較し、比較結果を端末機器のホストに伝送するように構成される比較サブモジュールを備えてもよい。
【００１３】
一実施例では、前記タッチスクリーン回路は、
合併して獲得されるタッチ信号によってタッチ操作が生成されるかを判断し、判断結果を端末機器のホストに伝送するように構成される判断サブモジュールを備えてもよい。
【００１４】
また、本発明の第２の態様によれば、前記いずれかのタッチスクリーン及び指紋認証を実現する装置を備える端末機器が提供される。
【発明の効果】
【００１５】
本発明が提供した技術案によれば、以下のような有益な効果を奏することができる。即ち、共有する指紋認証センサーを使用して、指紋認証とタッチスクリーン機能を実現でき、指紋認証とタッチスクリーン機能の外部部材を１つの部材になるように集積して、電子機器の集積度を向上させ、同時に表示領域内の静電容量方式のタッチ、及び指紋認証の両立を実現でき、ユーザーの操作利便性及び体験性を向上できる。
【００１６】
なお、以上の一般的な記述と、以下の詳細の記述は、ただ例示的なものであって、本発明を限定するものではない。
【図面の簡単な説明】
【００１７】
ここの図面は、明細書に組み入れて本明細書の一部分を構成し、本発明に該当する実施例を例示するとともに、明細書とともに本発明の原理を解釈するように構成される。
【図１】現在の端末機器のタッチスクリーン構造を示す断面図である。
【図２】一例示的な実施例に係るタッチスクリーン及び指紋認証を実現する装置を示すブロック図である。
【図３】一例示的な実施例に係るタッチスクリーン及び指紋認証を実現する装置のタッチスクリーン表示領域における位置を示す概略図である。
【図４】一例示的な実施例に係るサブセンサーをドットマトリクス状に配列した指紋認証の構成を示す説明図である。
【図５】一例示的な実施例に係るサブセンサーを長方形のマトリクス状に配列した指紋認証の構成を示す説明図である。
【図６】一例示的な第１の実施例に係るタッチスクリーン及び指紋認証を実現する装置を示すブロック図である。
【図７】一例示的な実施例に係るタッチスクリーン及び指紋認証を実現する装置に適用されるブロック図である。
【発明を実施するための形態】
【００１８】
ここで、図面に示される例示的な実施例について詳細に説明する。以下、図面に関連して説明する際に、特別な説明がない限り、異なる図面での同一符号は、同一又は類似な部材を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００１９】
図２は、一例示的な実施例に係るタッチスクリーン及び指紋認証を実現する装置を示すブロック図である。図２を参照すると、装置は、複数のサブセンサーを備える指紋認証センサー２１、指紋認証回路２２、オールインワンスイッチ２３、及びタッチスクリーン回路２４を備える。
【００２０】
各サブセンサーはそれぞれ指紋認証回路２２に接続され、各サブセンサーはそれぞれオールインワンスイッチ２３に接続され、オールインワンスイッチ２３はタッチスクリーン回路２４に接続される。
【００２１】
指紋認証センサー２１は、カバーガラスの下方に位置されるとともに、タッチスクリーンの下方の一部領域を占め、オールインワンスイッチ２３がオンされると、各サブセンサーが検出して生成される信号を、それぞれ指紋認証回路２２に伝送し、オールインワンスイッチ２３がオフされると、オールインワンスイッチ２３を介して各サブセンサーが検出して生成される信号をタッチ信号に合併してタッチスクリーン回路２４に伝送する。
【００２２】
指紋認証回路２２は、各サブセンサーが検出して生成される信号を処理する。
【００２３】
タッチスクリーン回路２４は、合併して獲得されるタッチ信号によってタッチ操作が生成されるかを判断する。
【００２４】
ここで、図３に示すように、指紋認証センサー２１はカバーガラスの下方に位置されるとともに、端末機器のタッチスクリーンの下方の一部領域を占める。タッチスクリーンの表示領域内において、指紋認証及びタッチの両立を実現する指紋認証センサー２１は、タッチスクリーンの右下方の一領域の空間に位置する。
【００２５】
一実施例において、指紋認証センサー２１は、ナノ金属線又はカーボンナノチューブ材料により製造される。また、指紋認証センサー２１がタッチスクリーンの下方の一部領域に設置され、且つ、光学効果、及び指紋認証がセンサーの線幅や線間距離に対する厳しい要求を考慮して、指紋認証センサー２１を透明と類似する効果を奏するように設置されて、また、例えば、ナノ金属線又はカーボンナノチューブなどの材料によって、静電容量方式のタッチ及び指紋認証が時分割スキャンされるようにする。
【００２６】
一実施例では、図４及び図５を参照すると、複数のサブセンサーはドットマトリクス状、又は長方形のマトリックス状に配列される。
【００２７】
指紋認証センサーには複数のサブセンサー４２が配列され、サブセンサー４２は、指紋のそれぞれの微細な肝心な情報を検出し、これらの肝心な情報によって指紋の画像を還元して、サンプル映像と一致しているかを対照して分析する。
【００２８】
ドットマトリクス状であっても長方形のマトリックスであっても、いずれもサブセンサーの配列を介して指の指紋信号を指紋認証回路２２に伝送し、さらに信号のフィルタリング、増幅、ＡＤサンプリングなどの処理を経て、指紋チップ（ｃｈｉｐ）に十分なデジタル信号を提供する。これによって、オールインワンスイッチ２３がオンされると、指紋認証センサー２１は各サブセンサー４２が検出して生成される信号を、それぞれ指紋認証回路２２に伝送して指紋認証機能を実現する。また、オールインワンスイッチ２３がオフされると、オールインワンスイッチ２３を介して各サブセンサー４２が検出して生成される信号をタッチ信号に合併してタッチスクリーン回路２４に伝送する。これによって、タッチスクリーン回路２４に十分なエネルギーレベルを備える信号を提供することができ、指のタッチが要求する感度、応答面積及び応答速度を確保することができる。
【００２９】
第１の実施例
図６は、一例示的な第１の実施例に係るタッチスクリーン及び指紋認証を実現する装置を示すブロック図である。図６に示すように、装置は、複数のサブセンサー４２を備える指紋認証センサー２１、指紋認証回路２２、オールインワンスイッチ２３、及びタッチスクリーン回路２４を備える。複数のサブセンサー４２は、長方形のマトリックス状に配列される。図３に示すように、複数のサブセンサー４２は、ドットマトリクス状に配列されてもよい。
【００３０】
本実施例では、指紋認証の構成において、センサーを共有し、新しいタッチスクリーン構成追加して、指紋認証とタッチスクリーン兼用機能を実現する。
【００３１】
オールインワンスイッチ２３は、端末機器のホスト３１の命令によってオン・オフされ、指紋認証に応答する必要がある場合は、オールインワンスイッチ２３はオンされ、指紋認証回路２２は各サブセンサー４２の信号を獲得して指紋認証機能を完成する。また、ホスト３１が指のタッチ機能に応答する場合は、オールインワンスイッチ２３はオフされ、サブセンサー４２のすべてが接続されて一つの大きなセンサーになり、タッチスクリーン回路２４は、前記大きなセンサーを介して指のタッチ信号を獲得して、指のタッチ機能を完成する。上のレベルのホスト３１の需要に応じて、各サブセンサーは接続されて一つの大きなセンサーになり、タッチスクリーン回路２４に十分に強い信号を提供することができ、同時に、指のタッチが要求する感度、応答面積、応答速度を保証することができる。
【００３２】
一実施例では、指紋認証回路２２は、
各サブセンサー４２が検出して生成される信号をデジタル信号に変換し、デジタル信号を端末機器のホスト３１に伝送するように構成される信号処理サブモジュールを備えてもよい。
【００３３】
例えば、各サブセンサー４２を検出して生成される信号をフィルタリング、増幅、サンプリングする。
【００３４】
一実施例では、指紋認証回路２２は、
各サブセンサー４２が検出して生成される信号によって指紋画像を生成し、指紋画像を端末機器のホスト３１に伝送するように構成される画像生成サブモジュールを備えてもよい。
【００３５】
一実施例では、指紋認証回路２２は、
各サブセンサー４２が検出して生成される信号によって指紋画像を生成し、生成される指紋画像をサンプル画像と比較し、比較結果を端末機器のホスト３１に伝送するように構成される比較サブモジュールを備えてもよい。
【００３６】
一実施例では、タッチスクリーン回路２４は、
合併して獲得されるタッチ信号によってタッチ操作が生成されるかを判断し、判断結果を端末機器のホスト３１に伝送するように構成される判断サブモジュールを備えてもよい。
【００３７】
本発明の実施例が提供した技術案によれば、共有する指紋認証センサーを使用して、指紋認証とタッチスクリーン機能を実現でき、指紋認証とタッチスクリーン機能の外部部材を１つの部材になるように集積して、電子機器の集積度を向上させ、同時に、表示領域内の静電容量方式のタッチ及び指紋認証の両立を実現でき、ユーザーの操作利便性及び体験性を向上できる。
【００３８】
本発明は、ＩＣ（集積回路）の処理を分離し、センサーを共有する方式を採用する。上記図面に示されたように、集積度がさらに高い方式を採用することもできる。例えば、オールインワンスイッチ２３をタッチスクリーン回路２４と一緒に同一のＩＣに集積してもよく、オールインワンスイッチ２３を指紋認証回路２２と一緒に同一のＩＣに集積してもよく、また、オールインワンスイッチ２３、指紋認証回路２２及びタッチスクリーン回路２４を同時に同一のＩＣに集積してもよい。これによって、集積度がもっと高い解決方案を提供することができる。
【００３９】
図７は、一例示的な実施例に係るタッチスクリーン及び指紋認証を実現する装置１２００のブロック図であり、当該装置は端末機器に適用される。例えば、装置１２００は、携帯電話、コンピュータ、デジタル放送端末機器、メッセージ送受信装置、ゲームコンソール、タブレット装置、医療設備、フィットネス装置、ＰＤＡなどであってもよい。
【００４０】
図７を参照すると、装置１２００は、処理ユニット１２０２、メモリ１２０４、電源ユニット１２０６、マルチメディアユニット１２０８、オーディオユニット１２１０、入出力（Ｉ／Ｏ）インタフェース１２１２、センサーユニット１２１４、及び通信ユニット１２１６からなる群から選ばれる少なくとも１つを備えてもよい。
【００４１】
処理ユニット１２０２は、一般的には、装置１２００の全体の操作、例えば、表示、電話呼び出し、データ通信、カメラ操作、及び記録操作に関連する操作を制御する。処理ユニット１２０２は、上述した方法におけるステップの一部又は全部を実現できるように、命令を実行する少なくとも１つのプロセッサー１２２０を備えてもよい。また、処理ユニット１２０２は、他のユニットとのインタラクションを便利にさせるように、少なくとも１つのモジュールを備えてもよい。例えば、処理ユニット１２０２は、マルチメディアユニット１２０８との相互作用を容易にするように、マルチメディアモジュールを備えてもよい。
【００４２】
メモリ１２０４は、装置１２００での操作をサポートするように、各種のデータを記憶するように配置される。これらのデータは、例えば、装置１２００で何れのアプリケーション又は方法を操作するための命令、連絡先データ、電話帳データ、メッセージ、画像、ビデオ等を備える。メモリ１２０４は、何れの種類の揮発性又は不揮発性メモリ、例えば、ＳＲＡＭ（ＳｔａｔｉｃＲａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ ＰｒｏｇｒａｍｍａｂｌｅＲｅａｄ Ｏｎｌｙ Ｍｅｍｏｒｙ）、ＰＲＯＭ（Ｐｒｏｇｒａｍｍａｂｌｅ ＲＯＭ）、ＲＯＭ（ＲｅａｄＯｎｌｙ Ｍｅｍｂｅｒ）、磁気メモリ、フラッシュメモリ、磁気ディスク、或いは光ディスクにより、或いはこれらの組み合わせにより実現することができる。
【００４３】
電源ユニット１２０６は、装置１２００の各種ユニットに電力を供給するためのものであり、電源管理システム、１つ又は複数の電源、及び装置１２００のために電力を生成、管理及び分配することに関連する他のユニットを備えてもよい。
【００４４】
マルチメディアユニット１２０８は、装置１２００とユーザーの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１２０８は、フロントカメラ及び／又はバックカメラを有してもよい。装置１２００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００４５】
オーディオユニット１２１０は、オーディオ信号を出力及び／又は入力するように配置される。例えば、オーディオユニット１２１０は、マイクロフォン（ＭＩＣ）を有してもよい。装置１２００が、例えば、呼び出しモード、記録モード、又は音声認証モードのような操作モードにあるとき、マイクロフォンは、外部のオーディオ信号を受信するように配置される。受信したオーディオ信号は、メモリ１２０４にさらに記憶されてもよいし、通信ユニット１２１６を介して送信されてもよい。一実施例では、オーディオユニット１２１０は、オーディオ信号を出力するためのスピーカをさらに備えてもよい。
【００４６】
Ｉ／Ｏインターフェース１２１２は、処理ユニット１２０２と外部のインターフェースモジュールの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、これらに限らない。
【００４７】
センサーユニット１２１４は、装置１２００のために各方面の状態を評価する少なくとも１つのセンサーを備えてもよい。例えば、センサーユニット１２１４は、装置１２００のオン／オフ状態や、ユニットの相対的な位置を検出することができる。例えば、前記ユニットが装置１２００のディスプレイ及びキーパッドである。センサーユニット１２１４は、装置１２００又は装置１２００の１つのユニットの位置の変化や、ユーザーが装置１２００に接触しているか否かや、装置１２００の方向又は加速／減速や、装置１２００の温度変化を検出することができる。センサーユニット１２１４は、何れの物理的な接触もない場合に付近の物体を検出するように配置される近接センサーを有してもよい。センサーユニット１２１４は、イメージアプリケーションに用いるための光センサー、例えば、ＣＭＯＳ又はＣＣＤ画像センサーを有してもよい。一実施例では、該センサーユニット１２１４は、加速度センサー、ジャイロスコープセンサー、磁気センサー、圧力センサー又は温度センサーをさらに備えてもよい。
【００４８】
通信ユニット１２１６は、装置１２００と他の設備の間の無線又は有線通信を便利にさせるように配置される。装置１２００は、通信標準に基づく無線ネットワーク、例えば、ＷｉＦｉや、２Ｇや、３Ｇ、又はこれらの組み合わせにアクセスできる。１つの例示的な実施例では、通信ユニット１２１６は、放送チャンネルを介して外部の放送管理システムからの放送信号又は放送に関する情報を受信する。１つの例示的な実施例では、前記通信ユニット１２１６は、近距離通信を促進するために近距離無線通信（ＮＦＣ）モジュールをさらに備えてもよい。例えば、ＮＦＣモジュールは、無線周波数認証装置（ＲＦＩＤ：Ｒａｄｉｏ  Ｆｒｅｑｕｅｎｃｙ  Ｉｄｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【００４９】
例示的な実施例では、装置１２００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子デバイスによって実現されてもよい。
【００５０】
例示的な実施例では、命令を有する非一時的（ｎｏｎ‐ｔｒａｎｓｉｔｏｒｙ）コンピュータ可読記録媒体、例えば、命令を有するメモリ１２０４をさらに提供する。前記命令は、装置１２００のプロセッサー１２２０により実行されて前記方法を実現する。例えば、前記非一時的コンピュータ可読記録媒体、ＲＯＭ、ＲＡＭ、ＣＤ−ＲＯＭ、磁気テープ、フロッピーディスク（商標）、光データ記憶デバイス等であってもよい。
【００５１】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【００５２】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2017505971.tif 000003
【図２】
2017505971.tif 000004
【図３】
2017505971.tif 000005
【図４】
2017505971.tif 000006
【図５】
2017505971.tif 000007
【図６】
2017505971.tif 000008
【図７】
2017505971.tif 000009
【国際調査報告】
2017505971.tif 000010
2017505971.tif 000011
2017505971.tif 000012
2017505971.tif 000013